【手続補正書】
【提出日】平成19年11月8日(2007.11.8)
【手続補正１】
【補正対象書類名】明細書
【補正対象項目名】特許請求の範囲
【補正方法】変更
【補正の内容】
【特許請求の範囲】
【請求項１】  精製紙料を複数段階のスクリーン選別により精選紙料区分とリジェクト区分とに選別して既製紙料の濾水度を30〜70ml CSFとする、印刷用紙の原料として使用されるサーモメカニカル・パルプあるいはケミサーモメカニカル・パルプ等の機械パルプ製造方法において、精製の第１段階で木質原料を400kPaを超える超大気圧下で精製し、濾水度250〜700ml CSFの紙料を得ることを特徴とする機械パルプ製造方法。
【請求項２】  請求項１に記載の方法において、木質原料を600〜700kPaの超大気圧下で精製することを特徴とする方法。
【請求項３】  請求項２に記載の方法において、精製を165〜175℃の温度範囲で行うことを特徴とする方法。
【請求項４】  請求項１ないし３のいずれかに記載の方法において、精製後の紙料をスクリーン選別により精選紙料区分（A1）とリジェクト区分（R1）とに選別することを特徴とする方法。
【請求項５】  請求項４に記載の方法において、精選紙料区分（A1）の濾水度は20〜50ml CSFであることを特徴とする方法。
【請求項６】  請求項４または５に記載の方法において、精選紙料区分（A1）はプロセス外へ取り出すことを特徴とする方法。
【請求項７】  請求項４または５に記載の方法において、１次精選紙料区分（A1）は再選別に戻すことを特徴とする方法。
【請求項８】  請求項７に記載の方法において、精選紙料区分（A1）を再選別により２次精選紙料区分（A11）と２次リジェクト区分（R11）とに選別することを特徴とする方法。
【請求項９】  請求項11に記載の方法において、２次精選紙料区分（A11）はプロセス外へ取り出すことを特徴とする方法。
【請求項１０】  請求項８または９に記載の方法において、２次リジェクト区分（R11）を精製した後、精選紙料区分（A12）とリジェクト区分（R12）とにスクリーン選別することを特徴とする方法。
【請求項１１】  請求項10に記載の方法において、精選紙料区分（A12）はプロセス外へ取り出すことを特徴とする方法。
【請求項１２】  請求項10または11に記載の方法において、リジェクト区分（R12）は再精製に回すことを特徴とする方法。
【請求項１３】  請求項４に記載の方法において、リジェクト区分（R1）はスクリーン選別される紙料の60〜90％を占めることを特徴とする方法。
【請求項１４】  請求項４または13に記載の方法において、リジェクト区分（R1）は第２段階の精製工程に回し、該工程で得られた紙料はスクリーン選別により２次精選紙料区分（A2）と２次リジェクト区分（R2）とに選別することを特徴とする方法。
【請求項１５】  請求項14に記載の方法において、２次精選紙料区分（A2）はプロセス外へ取り出すことを特徴とする方法。
【請求項１６】  請求項７に記載の方法において、精選紙料区分（A1）はスクリーン選別により２次精選紙料区分（A13）と２次リジェクト区分（R13）とに選別することを特徴とする方法。
【請求項１７】  請求項16に記載の方法において、２次精選紙料区分（A13）はプロセス外へ取り出すことを特徴とする方法。
【請求項１８】  請求項16または17に記載の方法において、２次リジェクト区分（R13）は第３段階の精製工程に移送することを特徴とする方法。
【請求項１９】  請求項14に記載の方法において、２次リジェクト区分（R2）は２回目のスクリーン選別の段階で紙料の60〜80％を占めることを特徴とする方法。
【請求項２０】  請求項14または15に記載の方法において、２次リジェクト区分（R2）を第２段階の精製工程に戻すことを特徴とする方法。
【請求項２１】  請求項14、15または19のいずれかに記載の方法において、２次リジェクト区分（R2）は第３段階の精製工程に回し、該工程で得られた紙料はさらに３次精選紙料区分（A3）と３次リジェクト区分とに選別することを特徴とする方法。
【請求項２２】  請求項21に記載の方法において、３次精選紙料区分（A3）はプロセス外へ取り出すことを特徴とする方法。
【請求項２３】  請求項９、11または22のいずれかに記載の方法において、精選紙料区分（A11、A12、A3）は合体・混合して既製紙料を調製することを特徴とする方法。
【請求項２４】  請求項21または22に記載の方法において、３次リジェクト区分は第３段階の精製工程に戻すことを特徴とする方法。
【請求項２５】  請求項６、15または22のいずれかに記載の方法において、精選紙料区分（A1、A2、A3）は合体・混合して既製紙料を調製することを特徴とする方法。
【請求項２６】  請求項15、17または22のいずれかに記載の方法において、精選紙料区分（A2、A13、A3）は合体・混合して既製紙料を調製することを特徴とする方法。
【請求項２７】  請求項21または22に記載の方法において、３次リジェクト区分は第４段階の精製工程に回し、該工程で得られた紙料はスクリーン選別により４次精選紙料区分（A4）と４次リジェクト区分とに選別することを特徴とする方法。
【請求項２８】  請求項27に記載の方法において、４次精選紙料区分（A4）はプロセス外へ取り出すことを特徴とする方法。
【請求項２９】  請求項27または28に記載の方法において、４次リジェクト区分は第４段階の精製工程に戻すことを特徴とする方法。
【請求項３０】  請求項６、15、22または28のいずれかに記載の方法において、精選紙料区分（A1、A2、A3、A4）は合体・混合して既製紙料を調製することを特徴とする方法。
【請求項３１】  請求項27または28に記載の方法において、４次リジェクト区分は低濃度リファイナへ移送することを特徴とする方法。
【請求項３２】  請求項31に記載の方法において、低濃度リファイナで精製された５次精選紙料区分（A5）はプロセス外へ取り出すことを特徴とする方法。
【請求項３３】  請求項６、15、22、28または32のいずれかに記載の方法において、精選紙料区分（A1、A2、A3、A4、A5）は合体・混合して既製紙料を調製することを特徴とする方法。
【請求項３４】  請求項１ないし33のいずれかに記載の方法において、精製中の紙料濃度は30〜60％であることを特徴とする方法。
【請求項３５】  請求項１ないし34のいずれかに記載の方法において、スクリーン選別中の紙料濃度は0.5〜５％であることを特徴とする方法。
【請求項３６】  請求項１ないし35のいずれかに記載の方法に従って調製された紙料を印刷用紙の製造原料として用いる紙料の使用方法。
【請求項３７】  請求項36に記載の紙料の使用方法において、該紙料を新聞用紙、コート紙またはスーパーカレンダ紙の製造原料として用いることを特徴とする紙料の使用方法。
【請求項３８】  請求項１ないし35のいずれかに記載の方法に従って調製された紙料を原料とすることを特徴とする印刷用紙。
【請求項３９】  請求項38に記載の印刷用紙において、該印刷用紙は新聞用紙、コート紙またはスーパーカレンダ紙であることを特徴とする印刷用紙。
【請求項４０】  印刷用紙の製造原料として用いられる紙料において、該紙料の少なくとも40重量％の繊維はメッシュ・サイズ28のバウアー・マクネット・スクリーンを通過しないことを特徴とする紙料。
【請求項４１】  請求項40に記載の紙料において、該紙料の最大20重量％の繊維はメッシュ・サイズ28のバウアー・マクネット・スクリーンを通過するが、メッシュ・サイズ200のバウアー・マクネット・スクリーンを通過しないことを特徴とする紙料。
【請求項４２】  請求項40または41に記載の紙料において、該紙料の少なくとも35重量％の繊維はメッシュ・サイズ28および200のバウアー・マクネット・スクリーンを通過することを特徴とする紙料。
【請求項４３】  請求項40ないし42のいずれかに記載の紙料において、該紙料の濾水度は30〜70ml CSFであることを特徴とする紙料。
【請求項４４】  請求項40ないし43のいずれかに記載の紙料を印刷用紙の製造原料として使用する紙料の使用方法。
【請求項４５】  請求項44に記載の紙料の使用方法において、該紙料は、新聞用紙、コート紙またはスーパーカレンダ紙の製造原料として用いることを特徴とする紙料の使用方法。
【請求項４６】  請求項40ないし44のいずれかに記載の紙料を原料とする印刷用紙。
【請求項４７】  請求項46に記載の印刷用紙において、該印刷用紙は新聞用紙、コート紙またはスーパーカレンダ紙であることを特徴とする印刷用紙。
【請求項４８】  請求項47に記載の印刷用紙において、該印刷用紙は、温度23℃、相対湿度50％の条件下で測定した坪量が30〜40g/m2の新聞用紙であることを特徴とする印刷用紙。
【請求項４９】  請求項48に記載の印刷用紙において、該印刷用紙は、温度23℃、相対湿度50％の条件下で測定したフィラー含量が７〜15％であることを特徴とする印刷用紙。